(57)【要約】【課題】着座者の腰椎部の荷重による弾性変形を適切な範囲に抑え、背凭れの姿勢に関わらず着座者の腰椎部に大きな押圧力を付与することができ、座り心地に優れたものを提供することができる。【解決手段】支持構造体２と、支持構造体２の上部に支持され、着座者Ｍの臀部を支持する座３と、支持構造体２の支基２２から後方に延びるとともに上方に延設された背凭れ支持部材４と、背凭れ支持部材４に支持され、背受面５ａに着座者Ｍの荷重を受けることにより傾動可能に設けられた背凭れ５と、背凭れ支持部材４に支持され、背受面５ａよりも前方に配置されたランバーサポート１０と、を備えた構成の椅子を提供する。【選択図】図３
2020048989.tif 000002
【特許請求の範囲】
【請求項１】
支持構造体と、
該支持構造体の上部に支持され、着座者の臀部を支持する座と、
前記支持構造体から後方に延びるとともに上方に延設された背凭れ支持部材と、
該背凭れ支持部材に支持され、背受面に着座者の荷重を受けることにより傾動可能に設けられた背凭れと、
前記背凭れ支持部材に支持され、前記背受面よりも前方に配置されたランバーサポートと、
を備えることを特徴とする椅子。
【請求項２】
前記ランバーサポートにおける前記背凭れ支持部材との支持部は、前記座の下方に位置していることを特徴とする請求項１に記載の椅子。
【請求項３】
前記背凭れ支持部材は、前記座の後端部から後方に離間していることを特徴とする請求項１又は２に記載の椅子。
【請求項４】
前記背凭れ支持部材は、前記支持構造体の後方に延出され、前記支持構造体に連結される第一部材と、該第一部材に固定される固定部から上方に延出され、前記背凭れを支持する第二部材と、からなり、
前記ランバーサポートは、前記第一部材に支持されていることを特徴とする請求項１乃至３のいずれか１項に記載の椅子。
【請求項５】
前記ランバーサポートは、
前記背凭れ支持部材に支持される被支持部、及び該被支持部から上方に延設される本体支持部と、を有するランバーサポート支持部材と、
該ランバーサポート支持部材に支持されるランバーサポート本体と、
を備えることを特徴とする請求項１乃至４のいずれか１項に記載の椅子。
【請求項６】
前記ランバーサポート本体は、ランバーパッドと、該ランバーパッドに装着されるとともに前記ランバーサポート支持部材に対して着脱自在に支持される荷重支持部材と、を備えていることを特徴とする請求項５に記載の椅子。
【発明の詳細な説明】
【技術分野】
【０００１】
本発明は、椅子に関する。
【背景技術】
【０００２】
従来、椅子に設けられる背凭れとして、例えば特許文献１、２に示されるような着座者の腰椎部を押圧するように支持するランバーサポートが設けられたものが知られている。
特許文献１には、ランバーサポートとしての腰当板を支持する差込片をシートの後縁部に係合させることで、腰当板を背凭れの前面側に配置した構成について記載されている。
【０００３】
また、特許文献２には、腰椎支持部（ランバーサポート）を背凭れ部材の前方に支持する弾性フレームが、座席部の下面に連結されて支持された構成について記載されている。弾性フレームは、背凭れの一部をなし、側面視において弾性フレームよりも下方に位置する別の弾性フレームに設けられたバネによって上方に付勢されている。このような構成によって、背凭れの前方、すなわち着座者の背中により近い位置において、押圧力を着座者の腰椎に供することを可能とした構成となっている。
【先行技術文献】
【特許文献】
【０００４】
【特許文献１】実公昭６３−０４２８５４号公報
【特許文献２】特開２００６−１４１８５９号公報
【発明の概要】
【発明が解決しようとする課題】
【０００５】
しかしながら、従来のランバーサポートを備えた椅子では、以下のような問題があった。
すなわち、特許文献１の場合には、腰当板が着座者の荷重によって弾性変形する際の支点がシートの上面に位置している。つまり、前記支点が着座者の腰椎部とほぼ同じ高さにあるので、着座者により弾性変形させる余地が非常に小さく、着座者の腰椎部への押圧力は大きく確保できるものの、長時間の着座に際して着座者に違和感を与えてしまうおそれがあった。
【０００６】
また、特許文献２の場合には、弾性変形する弾性フレームは、座席部の下面、すなわち着座者の腰椎部により近接する部位に連結されていることから、着座者の背中の動きに対して容易に変位してしまう。したがって、着座者の腰椎部に大きな押圧力を付与することが困難となっていた。
【０００７】
このように従来の椅子の場合には、ランバーサポートが背凭れの傾動に対して追従しにくい構造となっているので、背凭れの背受面を押圧して背凭れの姿勢を傾動させたときに、背凭れとランバーサポートから離れ、ランバーサポートが前後に動きやすくなってしまう。そのため、着座者はランバーサポートからの押圧力を十分に得ることができないことから、その点で改善の余地があった。
【０００８】
本発明は、上述する問題点に鑑みてなされたもので、着座者の腰椎部の荷重による弾性変形を適切な範囲に抑え、背凭れの姿勢に関わらず着座者の腰椎部に安定して大きな押圧力を付与することができ、座り心地に優れた椅子を提供することを目的とする。
【課題を解決するための手段】
【０００９】
上記目的を達成するため、本発明に係る椅子は、支持構造体と、該支持構造体の上部に支持され、着座者の臀部を支持する座と、前記支持構造体から後方に延びるとともに上方に延設された背凭れ支持部材と、該背凭れ支持部材に支持され、背受面に着座者の荷重を受けることにより傾動可能に設けられた背凭れと、前記背凭れ支持部材に支持され、前記背受面よりも前方に配置されたランバーサポートと、を備えることを特徴としている。
【００１０】
本発明では、支持構造体に連結された背凭れ支持部材にランバーサポートが支持され、背凭れの傾動時に背凭れ支持部材が弾性変形する際の支点となる部位が座から離間しているので、着座者が背凭れに凭れて背凭れを傾動させたときに、ランバーサポートも背凭れに追従させることができる。そのため、背凭れの傾動姿勢に関わらず、ランバーサポートが背凭れによって後方から保持された状態を維持することができ、着座者の腰椎部の荷重による弾性変形を適切な範囲に抑えることができる。
すなわち、ランバーサポートが座に支持され背凭れの傾動に対してランバーサポートが追従しにくい場合のように、ランバーサポートが背凭れから離れてしまい、ランバーサポートの弾性変形の広範囲に及ぶようなことを抑制することができる。したがって、本発明では、着座者の腰椎部に安定して大きな押圧力を付与することができ、座り心地に優れた椅子を提供することができる。
【００１１】
また、本発明では、ランバーサポート全体が背凭れの背受面よりも前方に位置しているので、ランバーサポートが背凭れの後方に支持される場合のように、着座者の荷重によって弾性変形する際の支点が座の上面で着座者の腰椎部とほぼ同じ高さとなって、ランバーサポートの弾性変形が小さくなることを抑えることができる。そのため、着座者の腰椎部への押圧力が大きくなり過ぎることを防止でき、長時間の着座に際して着座者の座り心地を向上させることができる。
【００１２】
また、本発明に係る椅子は、前記ランバーサポートにおける前記背凭れ支持部材との支持部は、前記座の下方に位置していることが好ましい。
【００１３】
この場合には、背凭れ支持部材の支持構造体から後方に延びる水平部分でランバーサポートとの支持部を配置することができる。そのため、ランバーサポートにおける背凭れ支持部材の水平部分からの延設長さを十分に確保することができ、ランバーサポートの延設方向をより鉛直方向に近づけることができる。したがって、着座者の腰椎部の荷重による弾性変形を適切な範囲に抑え、極力大きな押圧力を着座者の腰椎部に付与することができる。
しかも、本発明では、ランバーサポートにおける背凭れ支持部材との支持部が座によって隠れた位置となるので、その支持部が外から見えにくくなり、意匠性を向上させることができる。
【００１４】
また、本発明に係る椅子は、前記背凭れ支持部材は、前記座の後端部から後方に離間していることが好ましい。
【００１５】
この場合には、座と背凭れ支持部材との間に形成される空間を通過させてランバーサポートを配置することができる。すなわち、ランバーサポートの支持部位である支持部を前記空間を介して下方に位置させることができる。したがって、着座者の腰椎部の荷重による弾性変形を適切な範囲に抑え、極力大きな押圧力を着座者の腰椎部に付与することができる。
【００１６】
また、本発明に係る椅子は、前記背凭れ支持部材は、前記支持構造体の後方に延出され、前記支持構造体に連結される第一部材と、該第一部材に固定される固定部から上方に延出され、前記背凭れを支持する第二部材と、からなり、前記ランバーサポートは、前記第一部材に支持されていることを特徴としてもよい。
【００１７】
この場合には、ランバーサポートが支持される第一部材を背凭れを支持する第二部材に要求される素材や強度に縛られることがなくなる。そのため、第一部材はランバーサポートを支持可能な材質や強度に設定できるので、ランバーサポート自体の態様の選択幅を広くすることができる。
【００１８】
また、本発明に係る椅子は、前記ランバーサポートは、前記背凭れ支持部材に支持される被支持部、及び該被支持部から上方に延設される本体支持部と、を有するランバーサポート支持部材と、該ランバーサポート支持部材に支持されるランバーサポート本体と、を備えることを特徴としてもよい。
【００１９】
この場合には、ランバーサポート支持部材とランバーサポート本体とが別体で設けられるので、ランバーサポート支持部材の本体支持部に対してランバーサポート本体を上下方向に移動可能に支持させることができる。
【００２０】
また、本発明に係る椅子は、前記ランバーサポート本体は、ランバーパッドと、該ランバーパッドに装着されるとともに前記ランバーサポート支持部材に対して着脱自在に支持される荷重支持部材と、を備えていることを特徴としてもよい。
【００２１】
この場合には、ランバーパッドとランバーサポート支持部材に取り付ける荷重支持部材を別の材質により容易に形成することができる。そのため、荷重支持部材は支持力が得られる構造に形成し、ランバーパッドは着座者の腰椎部をサポートし易い材質のものを採用することができる。
【発明の効果】
【００２２】
本発明の椅子によれば、着座者の腰椎部の荷重による弾性変形を適切な範囲に抑え、背凭れの姿勢に関わらず着座者の腰椎部に安定して大きな押圧力を付与することができ、座り心地に優れたものを提供することができる。
【図面の簡単な説明】
【００２３】
【図１】本発明の実施形態による椅子の斜め前方から見た斜視図である。
【図２】図１に示す椅子を斜め後方から見た斜視図であって、背凭れの面材を省略した図である。
【図３】図１に示す椅子の側面図である。
【図４】椅子を斜め前方から見た分解斜視図であって、座を省略した図である。
【図５】ランバーサポートの支持部を椅子の幅方向の中心で切断した縦断面図であって、ベース部、背凭れ支持部材、及びランバーサポートの支持構造を示す図である。
【図６】背凭れを斜め後方から見た分解斜視図である。
【図７】背凭れを備えた背凭れ支持部材とランバーサポートを斜め前方から見た分解斜視図である。
【図８】ランバーサポートを斜め後方から見た分解斜視図である。
【図９】ランバーサポートを斜め後方から見た斜視図であって、ランバーパッドを省略した図である。
【発明を実施するための形態】
【００２４】
以下、本発明の実施形態による椅子について、図面に基づいて説明する。
【００２５】
図１〜図４に示す本実施形態による椅子１は、例えば着座者Ｍ（図３参照）が座って事務作業を行う事務用等として用いられる。
なお、以下の説明においては、椅子１に正規姿勢で着座した人（図３に示す着座者Ｍ）の前方を「前」、それと反対側を「後」と呼ぶものとする。また、「上」，「下」と「左」，「右」については、椅子１に正規姿勢で着座者Ｍの上方を「上」、それと逆側を「下」と呼び、椅子に正規姿勢で左右方向を幅方向といい、着座者Ｍの左側方を「左」、それと反対側を「右」と呼ぶものとする。また、図１〜図３において、図中矢印ＦＲは前方を指し、矢印ＵＰは上方を、矢印ＬＨは左側方をそれぞれ指すものとする。また、各実施形態においては、共通部分に同一符号を付して重複する説明を省略するものとする。
【００２６】
椅子１は、床Ｆ上に載置される支持構造体２と、支持構造体２の上部に支持され、着座者Ｍの臀部を支持する座３と、支持構造体２から後方に延びるとともに上方に延設された背凭れ支持部材４と、背凭れ支持部材４に支持され、背受面５ａに着座者Ｍの荷重を受けることにより傾動可能に設けられた背凭れ５と、背凭れ支持部材４に支持され、背受面５ａよりも前方に配置されたランバーサポート１０と、を備えている。
【００２７】
支持構造体２は、床Ｆ上に載置される脚部２１と、脚部２１の上端に設置されるボックス状の支基２２と、を備えている。
脚部２１は、キャスタ付きの多岐脚２１１と、多岐脚２１１の中央部より起立し昇降機構であるガススプリングを内蔵する脚柱２１２と、を備え、脚柱２１２の上端部に支基２２が脚柱２１２を中心として回転可能に取り付けられている。
【００２８】
支基２２には、脚柱２１２の昇降調整機構と背凭れ５の傾動調整機構が内蔵されている。支基２２には、背凭れ支持部材４及びランバーサポート１０を固定するための金属製のベース部２３が後方に向けて略水平に張り出した状態で設けられている。
【００２９】
ベース部２３は、図４に示すように、基端側の前部２３ａが支基２２の後部に固定された支持受け板２３１と、支持受け板２３１の幅方向の両端それぞれから上方に突出するガイド板２３２と、を有している（図５参照）。
ベース部２３は、背凭れ支持部材４の後述する第一部材４１を支持受け板２３１の上面２３１ａで受けるように構成されている。つまり、ベース部２３は、背凭れ支持部材４と上下に重ね合わせた状態で３本の固定ボルト２４とナット２５により締結固定される。ベース部２３の前部２３ａは、支基２２内に設けられる傾動調整機構に連結されている。
【００３０】
支持受け板２３１には、厚み方向に貫通する３つの第一ボルト孔２３３が形成されている。これら第一ボルト孔２３３は、支持受け板２３１の前側において幅方向に間隔をあけて２つ配置され、後側において前側の第一ボルト孔２３３の幅方向中央の位置に１つ配置されている。各第一ボルト孔２３３には、背凭れ支持部材４及びランバーサポート１０を固定するための固定ボルト２４が挿通される。
【００３１】
座３は、図１及び図２に示すように、座３の外殻を形成する座フレーム３１と、座フレーム３１に張設された座面材３２と、を有している。
【００３２】
背凭れ支持部材４は、支基２２から後方に張り出したベース部２３上に連結される強度部材をなしている。背凭れ支持部材４は、座３の後端部３ｂから後方に離間している。
背凭れ支持部材４は、図４及び図５に示すように、支持構造体２の支基２２から後方に延出するように配置されるとともに支基２２のベース部２３に連結される第一部材４１と、第一部材４１に固定される固定部から上方に延出され、背凭れ５を支持する第二部材４２と、からなる。なお、本実施形態では、第一部材４１と第二部材４２とは、例えばアルミ等の金属または所定の強度を有する樹脂等により一体に形成されている。
【００３３】
第一部材４１は、上支持壁４１１と、一対の側支持壁４１２、４１２と、を有し、前方から見て下方側に開口する略コ字状に形成されている。略コ字状に形成された第一部材４１の開口側をベース部２３の一対のガイド板２３２、２３２に外嵌させた状態で配置される。
【００３４】
上支持壁４１１は、前側から後側に向かうに従って漸次上方に向かうように滑らかに湾曲している。上支持壁４１１の前部下面４１１ａは、ベース部２３の支持受け板２３１側を向くように配置されている。上支持壁４１１の前部下面４１１ａには、前後方向に延びる複数の板状のガイドリブ４１３が幅方向に間隔をあけて配置されている。ガイドリブ４１３の下端４１３ａは、ベース部２３の支持受け板２３１の上面２３１ａに当接されている。これらガイドリブ４１３の突出高さは、ベース部２３のガイド板２３２における支持受け板２３１の上面２３１ａからの高さよりも大きく設定されている。
ガイドリブ４１３同士の間隔は、固定ボルト２４を挿入可能な寸法に設定されている。
【００３５】
上支持壁４１１には、厚み方向に貫通する３つの第二ボルト孔４１４が形成されている。これら第二ボルト孔４１４は、支基２２のベース部２３に第一部材４１を配置させた状態でベース部２３の各第一ボルト孔２３３に対して上下方向に同軸となる位置に配置されている。各第二ボルト孔４１４には、支基２２（ベース部２３）及びランバーサポート１０を固定するための固定ボルト２４が挿通される。
【００３６】
一対の側支持壁４１２、４１２は、ベース部２３のガイド板２３２の外面に沿うように上支持壁４１１の幅方向両端から下方に延びている。一対の側支持壁４１２、４１２同士の離間は、ベース部２３の一対のガイド板２３２、２３２の外面同士の間隔に一致している。一対の側支持壁４１２、４１２は、一対のガイド板２３２、２３２の幅方向外側の外面に沿って上方から案内されて係合することで幅方向の位置が決められる。
【００３７】
背凭れ５は、図３に示すように、側面視略Ｌ字状の背凭れ支持部材４の後上部に取り付けられ、座３に着座した着座者Ｍの背部を背受面５ａで直接支持する部分である。背凭れ５は、図６に示すように、背凭れ５の外周形状を画定する背枠部材５０と、背枠部材５０の内周空間に架設される面材５４と、を有している。
【００３８】
背枠部材５０は、図６に示すように、背凭れ５の幅方向に離間して配置された一対の縦枠材５１、５１と、一対の縦枠材５１、５１の上端どうしを連結する上枠材５２と、一対の縦枠材５１、５１の下端どうしを連結する下枠材５３と、を有している（図２参照）。一対の縦枠材５１、５１、上枠材５２、および下枠材５３は、例えば樹脂等で一体として環状に形成され、面材５４から作用する力に応じて弾性変形可能に構成されている。
【００３９】
一対の縦枠材５１、５１、上枠材５２および下枠材５３それぞれの外周縁部には、背凭れ５の内方に向かって凹む溝部５０１が周方向に連続して形成されている。溝部５０１は、面材５４の外周端部が巻き込まれた枠状の巻込枠５５を係止するように構成されている。巻込枠５５は、背枠部材５０と略同形状となる枠状に形成されている。
【００４０】
面材５４は、外周縁部が背凭れ５の前側に配置され、巻込枠５５に対して外側に回り込むようにして所定の張力が付与された状態で巻き込まれた状態で溝部５０１に係合している。面材５４は、図３に示すように、背凭れ５に寄りかかった着座者Ｍの荷重を受けるように構成されている。  
【００４１】
一対の縦枠材５１、５１は、それぞれ上下方向に沿って延びている。詳細には、図６に示すように、一対の縦枠材５１、５１は、下方に向かうに従って漸次幅方向の外側に向かうとともに前方に向かうように湾曲している。上枠材５２は、幅方向に延びてほほ直線状に形成され、幅方向の両端部が一対の縦枠材５１、５１の上端部に連結されている。
【００４２】
下枠材５３は、幅方向に延びていて幅方向の両端部が一対の縦枠材５１、５１の下端部と連結されている。下枠材５３は、幅方向の中央部が両端部よりも後側に突出するように全体にわたって湾曲している。下枠材５３は、背凭れ支持部材４の上端部に一体的に固定されている。本実施形態では、下枠材５３の後面には、下枠材５３と同様に湾曲する板状の下枠カバー５６が取り付けられている。
【００４３】
ランバーサポート１０は、図３に示すように、椅子１に着座した着座者Ｍの腰椎部Ｍａに当たる位置に配置され、前側から後側に向かう着座者Ｍの荷重を受けるように構成されている。ランバーサポート１０における背凭れ支持部材４との支持部Ｒ（図１、図５参照）は、座３の下方に位置している。
【００４４】
ランバーサポート１０は、図７〜図９に示すように、背凭れ支持部材４に支持されるランバーサポート支持部材１１と、ランバーサポート支持部材１１に支持されるランバーサポート本体１２と、を備えている。
【００４５】
ランバーサポート支持部材１１は、図５に示すように、背凭れ支持部材４の第一部材４１を介して支基２２のベース部２３に固定されて支持される被支持部１３と、被支持部１３から上方に延設される本体支持部１４と、を有し、被支持部１３と本体支持部１４とが一体的に設けられている。
【００４６】
被支持部１３は、図５、図７〜図９に示すように、幅方向の左右両側に位置する一対の下枠部１３１、１３１と、下枠部１３１、１３１同士を連結するように面方向を略水平方向に向けた載置板１３２と、を有している。載置板１３２は、背凭れ支持部材４の第一部材４１における上支持壁４１１の上面４１１ｂ上に当接した状態で支持される。載置板１３２には、厚み方向に貫通する３つの第三ボルト孔１３３が形成されている。これら第三ボルト孔１３３は、支基２２のベース部２３に背凭れ支持部材４の第一部材４１を配置させた状態でベース部２３の各第一ボルト孔２３３に対して上下方向に同軸となる位置に配置されている。各第三ボルト孔１３３には、支基２２（ベース部２３）及び背凭れ支持部材４（第一部材４１）に固定するための固定ボルト２４が下側から挿通される。そして、第三ボルト孔１３３の載置板１３２の上面に開口する上部には、固定ボルト２４に螺合するナット２５（図５参照）が係止可能なナット収容部１３３ａが形成されている。
【００４７】
本体支持部１４は、背凭れ５の面材５４の前面に沿って配置されている。本体支持部１４は、被支持部１３の下枠部１３１から上方に向けて延在する幅方向で左右一対の縦枠部１４１、１４１と、縦枠部１４１の上端同士を連結する上枠部１４２と、を有している。一対の縦枠部１４１、１４１は、それぞれ上端及び下端から上下方向の中央に向かうに従って漸次前方に向かうように湾曲している。縦枠部１４１の湾曲形状は、面材５４の湾曲形状とほぼ同様となるように設定されている。
各縦枠部１４１の前面１４１ａの上下方向の中央部には、前方に向けて突出する係止凸部１４３が形成されている。この係止凸部１４３は、後述する荷重支持部材１６のスリット１６６内に上下移動可能に係止される。
【００４８】
ランバーサポート本体１２は、ウレタン製のランバーパッド１５と、ランバーパッド１５に装着されるとともにランバーサポート支持部材１１の本体支持部１４に対して着脱自在、かつ上下移動可能に支持される荷重支持部材１６と、を備えている。
【００４９】
ランバーパッド１５は、図７及び図８に示すように、幅方向中央に配置される中央部１５１と、中央部１５１の幅方向の両側に配置される側方部１５２、１５２と、を有している。側方部１５２は、中央部１５１から幅方向の外側に離れるに従い漸次前方に向かうように傾斜し、上部から下部に向けて前方に延出する形状になっている。ランバーパッド１５は、上方から見て中央部１５１が後方に突となる凹状となり、この凹形状の内側で図３に示すように着座者Ｍの腰椎部Ｍａを後方から包み込むように形成されている。
【００５０】
中央部１５１の後面１５１ａには、図８に示すように、保持片１５４が設けられている。保持片１５４は、例えば一方面にフック状に起毛され、他方面のループ状の起毛に貼り付くように係止するいわゆるマジックテープ（登録商標）等を採用することができ、本体支持部１４の上枠部１４２を巻き付けるように保持するものである。
また、側方部１５２の後面には、中央部１５１側に開口部１５３ａを有するポケット部１５３が形成されている。
【００５１】
荷重支持部材１６は、図７〜図９に示すように、樹脂製の薄板状の部材から形成され、後方から見てランバーパッド１５とほぼ重なる外郭形状をなしている。荷重支持部材１６は、上下方向に延びる一対の縦板状体１６１、１６１と、一対の縦板状体１６１、１６１の上端同士を連結する上連結材１６２と、一対の縦板状体１６１、１６１の下端同士を連結する下連結材１６３と、一対の縦板状体１６１、１６１の上下方向の中間同士を連結し幅方向に延びる一対の拘束バンド１６４と、下連結材１６３と、一対の縦板状体１６１、１６１のそれぞれから幅方向の外側に張り出した側方枠材１６５と、を有している。
【００５２】
ここで、縦板状体１６１、上連結材１６２、下連結材１６３、及び側方枠材１６５は、一体形成された枠状体１６０を形成している。枠状体１６０は、少なくとも一対の側方枠材１６５、１６５の前端が幅方向の内側に弾性的に曲げ変形可能となっている。そして、枠状体１６０は、曲げ変形させた状態で一対の側方枠材１６５がそれぞれランバーパッド１５のポケット部１５３（図８参照）に差し込まれた状態で支持されて装着されている。図８に示す矢印Ｅ２は、側方枠材１６５がポケット部１５３に差し込まれる方向を示している。
【００５３】
縦板状体１６１、１６１同士の間隔は、ランバーサポート支持部材１１における本体支持部１４の一対の縦枠部１４１、１４１の間隔と一致している。
一対の拘束バンド１６４、１６４は、例えば布製、樹脂製などの部材からなり、一対の縦板状体１６１、１６１の後面（図８に示す被当接面１６１ａ）側で互いに上下方向に間隔をあけて配置されている。拘束バンド１６４は、長手方向（幅方向）の両端部１６４ａ、１６４ａがそれぞれ縦板状体１６１の前面１６１ｂ（図７参照）側に回り込んだ状態で例えば接着手段等によって固定されている。拘束バンド１６４は、縦板状体１６１の被当接面１６１ａに対して隙間を有するように緩めな状態で配置されている。
【００５４】
荷重支持部材１６は、図２、図８及び図９に示すように、枠状体１６０と拘束バンド１６４との間にランバーサポート支持部材１１の本体支持部１４が図８の矢印Ｅ１に示すように差し込み可能に設けられている。そして、枠状体１６０が曲げ変形されることで、拘束バンド１６４の長さ方向（幅方向）に引張力が生じ、拘束バンド１６４は、縦板状体１６１の被当接面１６１ａ側に押し付けられる方向に押圧する。つまり、枠状体１６０がランバーパッド１５に取り付けられることにより、拘束バンド１６４はランバーサポート支持部材１１の本体支持部１４を縦板状体１６１に押し付け、本体支持部１４がランバーサポート本体１２に保持されることになる。
【００５５】
なお、本体支持部１４に対する拘束バンド１６４の上下方向の高さ位置は、任意な位置であってもよいし、本体支持部１４の縦枠部１４１に所定位置で位置決め可能な係止部（図示省略）が設けられていてもよい。
そして、ランバーサポート本体１２が背凭れ５側に押されると、面材５４の形状（後方に突になる凸曲面）に両側方枠材１６５、１６５が押し出され、荷重支持部材１６全体が後ろ向きの凸状に変形する。
【００５６】
縦板状体１６１の下部側には、厚さ方向に貫通し、上下方向に延びるスリット１６６が形成されている。このスリット１６６には、ランバーサポート支持部材１１に形成される係止凸部１４３がスリット１６６内で移動可能に係止されている。
【００５７】
次に、ランバーサポート１０を背凭れ支持部材４に装着する方法について、詳細に説明する。
先ず、図８及び図９に示すように、ランバーサポート１０を組み立てる。
ランバーサポート支持部材１１にランバーサポート本体１２の荷重支持部材１６を取り付ける。具体的には、荷重支持部材１６の一対の拘束バンド１６４、１６４と左右の縦板状体１６１、１６１との間にランバーサポート支持部材１１の本体支持部１４を図８の矢印Ｅ１方向に下方から差し込み、所定の高さに配置する。
【００５８】
次に、図８に示すように、ランバーパッド１５の左右のポケット部１５３のそれぞれにランバーサポート支持部材１１に支持された荷重支持部材１６の側方枠材１６５を矢印Ｅ２方向に差し込み、さらに上連結材１６２、下連結材１６３に対して保持片１５４で固定する。これによりランバーサポート１０が組み立てられる。
【００５９】
次に、図４に示すように、支基２２のベース部２３に背凭れ５を支持した背凭れ支持部材４の第一部材４１を上方から係合させる。具体的には、第一部材４１の側支持壁４１２を、ベース部２３の一対のガイド板２３２の外面に沿わせるようにして配置するとともに、図８に示すように、第一部材４１におけるガイドリブ４１３の下端４１３ａをベース部２３の支持受け板２３１の上面２３１ａに当接させる。
【００６０】
次に、第一部材４１の上支持壁４１１の上面４１１ｂにランバーサポート１０のランバーサポート支持部材１１を取り付ける。具体的には、ランバーサポート支持部材１１の被支持部１３の載置板１３２を上支持壁４１１の上面４１１ｂ上に載置して位置決めする。このとき、ベース部２３、第一部材４１、及び被支持部１３のそれぞれのボルト孔（第一ボルト孔２３３、第二ボルト孔４１４、第三ボルト孔１３３）が同軸上に位置し、各ボルト孔２３３、４１４、１３３に下方から固定ボルト２４を挿通させ、第三ボルト孔１３３のナット収容部１３３ａ内に係止させたナット２５に螺合させて締結する。これにより、支基２２のベース部２３に背凭れ支持部材４を介して背凭れ５が支持されるとともに、ランバーサポート１０も支持部Ｒにおいて支持される。
【００６１】
ここで、ランバーサポート１０を取り付けた後にランバーサポート本体１２の高さを変更する際には、ランバーサポート本体１２をランバーサポート支持部材１１の本体支持部１４に対して手動で移動させることでその高さを調整することができる。
【００６２】
次に、上述した椅子１の作用について、図面に基づいて詳細に説明する。
本実施形態による椅子１では、図３及び図５に示すように、支持構造体２の支基２２に設けられたベース部２３に連結された背凭れ支持部材４にランバーサポート支持部材１１が支持され、背凭れ５の傾動時に背凭れ支持部材４が弾性変形する際の支点となる部位が座から離間しているので、着座者Ｍが背凭れ５に凭れて背凭れ５を傾動させたときに、ランバーサポート１０も背凭れ５に追従させることができる。そのため、背凭れ５の傾動姿勢に関わらず、ランバーサポート１０が背凭れ５によって後方から保持された状態を維持することができ、着座者Ｍの腰椎部Ｍａの荷重による弾性変形を適切な範囲に抑えることができる。
【００６３】
すなわち、ランバーサポートが座に支持され背凭れの傾動に対してランバーサポートが追従しにくい場合のように、ランバーサポートが背凭れから離れてしまい、ランバーサポートの弾性変形の広範囲に及ぶようなことを抑制することができる。したがって、本実施形態では、着座者Ｍの腰椎部Ｍａに安定して大きな押圧力を付与することができ、座り心地に優れた椅子１を提供することができる。
【００６４】
また、本実施形態では、ランバーサポート１０全体が背凭れの背受面よりも前方に位置しているので、ランバーサポート１０が背凭れ５の後方に支持される場合のように、着座者Ｍの荷重によって弾性変形する際の支点が座３の上面で着座者Ｍの腰椎部Ｍａとほぼ同じ高さとなって、ランバーサポート１０の弾性変形が小さくなることを抑えることができる。そのため、着座者Ｍの腰椎部Ｍａへの押圧力が大きくなり過ぎることを防止でき、長時間の着座に際して着座者Ｍの座り心地を向上させることができる。
【００６５】
また、本実施形態では、図３に示すように、ランバーサポート１０における背凭れ支持部材４との支持部Ｒが座３の下方に位置しているので、背凭れ支持部材４の支持構造体２から後方に延びる水平部分（第一部材４１）でランバーサポートとの支持部を配置することができる。そのため、ランバーサポート１０における背凭れ支持部材４の第一部材４１からの延設長さを十分に確保することができ、ランバーサポート１０の延設方向をより鉛直方向に近づけることができる。したがって、着座者Ｍの腰椎部Ｍａの荷重による弾性変形を適切な範囲に抑え、極力大きな押圧力を着座者Ｍの腰椎部Ｍａに付与することができる。
しかも、本実施形態では、ランバーサポート１０における背凭れ支持部材４との支持部Ｒが座３によって隠れた位置となるので、その支持部Ｒが外から見えにくくなり、意匠性を向上させることができる。
【００６６】
また、本実施形態では、背凭れ支持部材４の第二部材４２が座３の後端部３ｂから後方に離間しているから、座と背凭れ支持部材との間に形成される空間を通過させてランバーサポートを配置することができる。すなわち、ランバーサポート１０の支持部位である支持部Ｒを前記空間を介して下方に位置させることができる。したがって、着座者Ｍの腰椎部Ｍａの荷重による弾性変形を適切な範囲に抑え、極力大きな押圧力を着座者Ｍの腰椎部Ｍａに付与することができる。
【００６７】
さらに、本実施形態では、背凭れ支持部材４を第一部材４１と第二部材４２とを別体で設けることも可能である。この場合には、ランバーサポート１０が支持される第一部材４１を背凭れ５を支持する第二部材４２に要求される素材や強度に縛られることなくなる。そのため、第一部材４１はランバーサポート１０を支持可能な材質や強度に設定できるので、ランバーサポート１０自体の態様の選択幅を広くすることができる。
【００６８】
さらにまた、本実施形態では、ランバーサポート支持部材１１とランバーサポート本体１２とが別体で設けられるので、ランバーサポート支持部材１１の本体支持部に対してランバーサポート本体１２を上下方向に移動可能に支持させることができる。
【００６９】
また、本実施形態の場合には、ランバーサポート本体１２は、ランバーパッド１５と、ランバーパッド１５に装着されるとともにランバーサポート支持部材１１に対して着脱自在に支持される荷重支持部材１６と、を備えた構成であるので、ランバーパッド１５とランバーサポート支持部材１１に取り付ける荷重支持部材１６を別の材質により容易に形成することができる。そのため、荷重支持部材１６は支持力が得られる構造に形成し、ランバーパッド１５は着座者Ｍの腰椎部Ｍａをサポートし易い材質のものを採用することができる。
【００７０】
上述のように本実施形態による椅子１では、着座者Ｍの腰椎部Ｍａの荷重による弾性変形を適切な範囲に抑え、背凭れ５の姿勢に関わらず着座者Ｍの腰椎部Ｍａに大きな押圧力を付与することができ、座り心地に優れたものを提供することができる。
【００７１】
以上、本発明による椅子の実施形態について説明したが、本発明は上記の実施形態に限定されるものではなく、その趣旨を逸脱しない範囲で適宜変更可能である。
【００７２】
例えば、本実施形態では、ランバーサポート１０のランバーサポート支持部材１１における背凭れ支持部材４との支持部Ｒが座３の下方に位置した構成としているが、座３の下方であることに限定されることはない。例えば、座３の後方の位置であって、座３の後端部３ｂと背凭れ支持部材４の第二部材４２との間の隙間の下方に支持部Ｒが位置していてもよい。
【００７３】
また、本実施形態では、背凭れ支持部材４（第二部材４２）が座３の後端部３ｂから後方に離間しているが、両者が接した形態であってもよい。この場合、例えば、座３の後部にランバーサポート支持部材１１が座３の下方に挿通可能な凹部を設けることで、ランバーサポート支持部材１１の支持部Ｒを背凭れ支持部材４の第一部材４１に支持させることができる。
【００７４】
さらに、本実施形態では、背凭れ支持部材４が支持構造体２に連結される第一部材４１と、背凭れ５を支持する第二部材４２と、が一体で形成された構成としているが、別体で設けられていてもよい。
【００７５】
また、本実施形態では、支基２２から方向に突出するベース部２３に、背凭れ支持部材４を連結させるとともにランバーサポート支持部材１１を支持させた取付構造となっているが、ベース部２３を省略して支基２２に対して背凭れ支持部材４を連結するような構成であってもよい。
そして、本実施形態では、ランバーサポート支持部材１１の支持部Ｒとして、固定ボルト２４とナット２５を使用しているが、ボルト締結であることに限定されず、他の固定手段を採用することも可能である。
【００７６】
さらにまた、ランバーサポート１０の構成は、上述した実施形態に限定されることはなく、適宜変更することが可能である。例えば、本実施形態では、ランバーサポート支持部材１１の被支持部１３と本体支持部１４とが一体で形成されているが、別体で設けられていてもよい。さらに、ランバーサポート支持部材１１とランバーサポート本体１２とが一体で形成されたものであってもよい。
【００７７】
また、本実施形態では、ランバーサポート本体１２は、ランバーパッド１５と、ランバーパッド１５に装着されるとともにランバーサポート支持部材１１に対して着脱自在に支持される荷重支持部材１６と、を備えた構成としているが、ランバーパッド１５と荷重支持部材１６とが一体であってもよい。
さらに、本実施形態では、荷重支持部材１６がランバーサポート支持部材１１の本体支持部１４に対して拘束バンド１６４を使用して高さ調整可能に支持されているが、このような高さ調整機構を設けることに限定されるものでもない。
【００７８】
さらにまた、ランバーサポート支持部材１１が背凭れ支持部材４と一体化された構成であってもよい。この場合、背凭れ５の面材５４は、ランバーサポート支持部材１１が重なる部分を避けるように張設することで構成することができる。
また、背凭れ支持部材４と背凭れ５とが一体であってもかまわない。
【００７９】
その他、本発明の趣旨を逸脱しない範囲で、上記した実施形態における構成要素を周知の構成要素に置き換えることは適宜可能である。
【符号の説明】
【００８０】
１  椅子
２  支持構造体
３  座
４  背凭れ支持部材
５  背凭れ
５ａ  背受面
１０  ランバーサポート
１１  ランバーサポート支持部材
１２  ランバーサポート本体
１３  被支持部
１４  本体支持部
１５  ランバーパッド
１６  荷重支持部材
２２  支基
２３  ベース部
２４  固定ボルト
４１  第一部材
４２  第二部材
５４  面材
Ｍ  着座者
Ｍａ  腰椎部
Ｒ  支持部
【図１】
2020048989.tif 000003
【図２】
2020048989.tif 000004
【図３】
2020048989.tif 000005
【図４】
2020048989.tif 000006
【図５】
2020048989.tif 000007
【図６】
2020048989.tif 000008
【図７】
2020048989.tif 000009
【図８】
2020048989.tif 000010
【図９】
2020048989.tif 000011